(57)【要約】【課題】ネットワークを介して、進路の選択を支援するにあたり、実状に則した多様な進路を示し、進路の選択範囲を広げる。【解決手段】ネットワーク３０を介して、進路の選択支援を行う進路選択支援システムであって、職業を指定するユーザ端末１０と、各種職業の既従事者に関する経歴実例情報を複数蓄積し、ユーザ端末１０から受信した職業指定情報にもとづいて、指定された職業の既従事者に関する経歴実例情報を検索するとともに、その検索結果をユーザ端末１０へ送信する進路選択支援装置２０と、進路選択支援装置２０及び複数のユーザ端末１０を接続するネットワーク３０とを備える。【選択図】      図７
2004246820.tif 000002
【特許請求の範囲】
【請求項１】
ネットワークを介して、進路の選択支援を行う進路選択支援システムであって、
職業を指定する端末と、
各種職業の既従事者に関する経歴実例情報を複数蓄積し、前記端末から職業指定情報を受信し、指定された職業の既従事者に関する経歴実例情報を検索し、検索結果を前記端末へ送信する進路選択支援装置と、
前記進路選択支援装置及び複数の前記端末を接続する前記ネットワークと、
を備えることを特徴とする進路選択支援システム。
【請求項２】
前記進路選択支援装置が、各職業の既従事者に関する経歴実例情報を、その経歴にもとづいてグループ分けするとともに、各グループの経歴及び割合を前記端末へ送信することを特徴とする請求項１記載の進路選択支援システム。
【請求項３】
前記進路選択支援装置が、指定された職業の既従事者に関する経歴実例情報とともに、その職業が求める学習及び／又は資格に関する情報を前記端末へ送信することを特徴とする請求項１又は２記載の進路選択支援システム。
【請求項４】
前記進路選択支援装置が、前記学習及び／又は前記資格の教育機関に関する情報を前記端末へ送信することを特徴とする請求項３記載の進路選択支援システム。
【請求項５】
前記端末が、職業指定情報及び経歴情報を送信し、
前記進路選択装置が、前記端末から前記職業指定情報及び前記経歴情報を受信するとともに、これらの情報と、その職業の既従事者に関する経歴実例情報とを比較して、前記経歴情報と同一の経歴を含む前記経歴実例情報の割合を算出し、この割合を前記端末へ送信することを特徴とする請求項１〜４のいずれかに記載の進路選択支援システム。
【請求項６】
前記端末が、職業指定情報及び経歴情報を送信し、
前記進路選択装置が、前記端末から前記職業指定情報及び前記経歴情報を受信するとともに、これらの情報と、その職業の既従事者に関する経歴実例情報とを比較して、不足する学習及び／又は資格を特定し、特定した前記学習及び／又は前記資格に関する情報を前記端末へ送信することを特徴とする請求項１〜５のいずれかに記載の進路選択支援システム。
【請求項７】
ネットワークを介して、進路の選択支援を行う進路選択支援装置であって、
各種職業の既従事者に関する経歴実例情報を複数蓄積し、
端末から職業指定情報を受信し、
指定された職業の既従事者に関する経歴実例情報を検索し、
検索結果を前記端末へ送信する
ことを特徴とする進路選択支援装置。
【請求項８】
ネットワークを介して、進路の選択支援を行う進路選択支援方法であって、
進路選択支援装置が、各種職業の既従事者に関する経歴実例情報を複数蓄積し、
端末が、職業を指定し、
前記進路選択支援装置が、前記端末から職業指定情報を受信し、指定された職業の既従事者に関する経歴実例情報を検索し、検索結果を前記端末へ送信する
ことを特徴とする進路選択支援方法。
【請求項９】
ネットワークを介して、進路の選択支援を行わせる進路選択支援プログラムであって、
進路選択支援装置に、
各種職業の既従事者に関する経歴実例情報を複数蓄積させ、
端末から職業指定情報を受信させ、
指定された職業の既従事者に関する経歴実例情報を検索させ、
検索結果を前記端末へ送信させる
ことを特徴とする進路選択支援プログラム。
【発明の詳細な説明】
【０００１】
【発明の属する技術分野】
本発明は、ネットワークを介して、進路の選択支援を行う進路選択支援システム、進路選択支援装置、進路選択支援方法及び進路選択支援プログラムに関する。
【０００２】
【従来の技術】
近年、従事したい職業については十分な検討を行わず、単に高学歴の取得を目的として進路を選択している学生が多く見うけられる。このような学生は、従事したい職業を、最終学歴となる学校に進学するまで決めず、最終学歴の就職活動期に決める場合も多い。
【０００３】
しかしながら、数ある職業のなかには、必要な学歴、専門学習、資格などを規定する職業もあるため、従事したい職業を最終学歴の就職活動期に決めても、必要な学歴、専門学習、資格などが不足しているために、その職業への従事をあきらめざるを得ない場合がある。
このような問題を回避するには、早期から職業に対する意識を持つだけでなく、その職業に適した進路を知る必要がある。
【０００４】
そこで、インターネットなどのネットワークを介して、進路の選択支援を行うシステムが提案されている（例えば、特許文献１、２参照。）。
例えば、特許文献１に示される進路選択支援システムにおいては、端末で職業を指定すると、その職業の内容、対象、場所、適性、関連職種などが提示される。
また、特許文献２に示される情報仲介システムによれば、端末から履歴書情報を送信すると、適合する職業や、その職業への従事に際して不足する学習、資格などが提示される。
【０００５】
【特許文献１】
特開２０００−９０１６７号公報（第５−６頁、第７図）
【特許文献２】
特開２００２−３２４１７６号公報（第３−４頁、第３図）
【０００６】
【発明が解決しようとする課題】
しかしながら、上記従来のシステムでは、各種職業に関する一般的な情報をデータベース化し、職業又は履歴書情報をキーとして検索を実行するに過ぎないため、提示される情報が画一的になり、進路の選択範囲を狭める可能性がある。
例えば、ある職業に従事するための進路や条件が多様であったとしても、上記従来のシステムでは、一般的な進路や条件のみが提示されるため、利用者が誤認して、その職業への従事をあきらめてしまう可能性がある。
また、各種職業に従事するための進路や条件は、社会情勢などによって変化するが、上記従来のシステムでは、このような変化が反映されにくいため、現状に則していない情報を提供してしまう可能性がある。
【０００７】
本発明は、上記の事情にかんがみなされたものであり、ネットワークを介して、職業に関する情報を提供し、進路の選択を支援するものでありながら、従来のように職業に関する一般的な情報だけでなく、各種の職業に既に従事している人の経歴（経歴実例情報）を提供することにより、実状に則した多様な進路を示し、進路の選択範囲を広げることができる進路選択支援システム、進路選択支援装置、進路選択支援方法及び進路選択支援プログラムの提供を目的とする。
【０００８】
【課題を解決するための手段】
上記目的を達成するため本発明の進路選択支援システムは、ネットワークを介して、進路の選択支援を行う進路選択支援システムであって、職業を指定する端末と、各種職業の既従事者に関する経歴実例情報を複数蓄積し、前記端末から職業指定情報を受信し、指定された職業の既従事者に関する経歴実例情報を検索し、検索結果を前記端末へ送信する進路選択支援装置と、前記進路選択支援装置及び複数の前記端末を接続する前記ネットワークと、を備える構成としてある。
【０００９】
進路選択支援システムをこのように構成すれば、ネットワークを介して、職業に関する情報を提供して、進路の選択を支援するにあたり、各種の職業に既に従事している人の経歴（経歴実例情報）を提供することにより、実状に則した多様な進路を提示することが可能になる。
これにより、職業に関する一般的な情報だけを提供していた従来のように、情報が画一的になったり、現状に則していないものになることを回避でき、その結果、進路の選択範囲を広げることができるだけでなく、現状に則した情報をもとに、適正な進路選択を行うことができる。
【００１０】
また、本発明の進路選択支援システムは、前記進路選択支援装置が、各職業の既従事者に関する経歴実例情報を、その経歴にもとづいてグループ分けするとともに、各グループの経歴及び割合を前記端末へ送信する構成としてある。
進路選択支援システムをこのように構成すれば、経歴実例情報を単に一覧表示する場合に比べ、情報の閲覧性が向上するばかりでなく、各グループの割合にもとづいて、一般的な進路、例外的な進路などを容易に判断することが可能になる。
【００１１】
また、本発明の進路選択支援システムは、前記進路選択支援装置が、指定された職業の既従事者に関する経歴実例情報とともに、その職業が求める学習及び／又は資格に関する情報を前記端末へ送信する構成としてある。
進路選択支援システムをこのように構成すれば、進路の選択支援だけでなく、学習分野の選択、取得する資格の選択なども総合的に支援することができる。
【００１２】
また、本発明の進路選択支援システムは、前記進路選択支援装置が、前記学習及び／又は前記資格の教育機関に関する情報を前記端末へ送信する構成としてある。
進路選択支援システムをこのように構成すれば、利用者は、その職業に有効な学習や資格の取得をめざす際、適正な教育機関を容易に選択することができる。また、システム運営者は、教育機関からの広告掲載料、仲介手数料などを見込むことができる。
【００１３】
また、本発明の進路選択支援システムは、前記端末が、職業指定情報及び経歴情報を送信し、前記進路選択装置が、前記端末から前記職業指定情報及び前記経歴情報を受信するとともに、これらの情報と、その職業の既従事者に関する経歴実例情報とを比較して、前記経歴情報と同一の経歴を含む前記経歴実例情報の割合を算出し、この割合を前記端末へ送信する構成としてある。
進路選択支援システムをこのように構成すれば、既従事者における同一経歴の割合が示されるため、その職業に従事できる可能性を容易に判定することができる。
【００１４】
また、本発明の進路選択支援システムは、前記端末が、職業指定情報及び経歴情報を送信し、前記進路選択装置が、前記端末から前記職業指定情報及び前記経歴情報を受信するとともに、これらの情報と、その職業の既従事者に関する経歴実例情報とを比較して、不足する学習及び／又は資格を特定し、特定した前記学習及び／又は前記資格に関する情報を前記端末へ送信する構成としてある。
進路選択支援システムをこのように構成すれば、所定の職業への従事に際し、不足する学習や資格が示されるため、適正な職業選択を行うことができるだけでなく、その職業への従事をめざして効率的な学習を行うことができる。
【００１５】
また、上記目的を達成するため本発明の進路選択支援装置は、ネットワークを介して、進路の選択支援を行う進路選択支援装置であって、各種職業の既従事者に関する経歴実例情報を複数蓄積し、端末から職業指定情報を受信し、指定された職業の既従事者に関する経歴実例情報を検索し、検索結果を前記端末へ送信する構成としてある。
進路選択支援装置をこのように構成すれば、ネットワークを介して、進路の選択を支援するにあたり、各種職業の既従事者に関する経歴実例情報にもとづいて、実状に則した多様な進路を提示することができる。
【００１６】
また、上記目的を達成するため本発明の進路選択支援方法は、ネットワークを介して、進路の選択支援を行う進路選択支援方法であって、進路選択支援装置が、各種職業の既従事者に関する経歴実例情報を複数蓄積し、端末が、職業を指定し、前記進路選択支援装置が、前記端末から職業指定情報を受信し、指定された職業の既従事者に関する経歴実例情報を検索し、検索結果を前記端末へ送信する方法としてある。
進路選択支援方法をこのような方法にすれば、各種の職業に既に従事している人の経歴を提供することにより、実状に則した多様な進路を示し、進路の選択範囲を広げることができる。
【００１７】
また、上記目的を達成するため本発明の進路選択支援プログラムは、ネットワークを介して、進路の選択支援を行わせる進路選択支援プログラムであって、進路選択支援装置に、各種職業の既従事者に関する経歴実例情報を複数蓄積させ、端末から職業指定情報を受信させ、指定された職業の既従事者に関する経歴実例情報を検索させ、検索結果を前記端末へ送信させる構成としてある。
進路選択支援プログラムをこのように構成すれば、進路選択支援装置が、各種職業の既従事者に関する経歴実例情報にもとづいて、実状に則した多様な進路を提示することが可能になる。
【００１８】
【発明の実施の形態】
以下、本発明の実施形態について、図面を参照して説明する。
［第一実施形態］
まず、本発明の第一実施形態について、図１〜図８を参照して説明する。
図１は、進路選択支援システムの構成を示すブロック図である。
この図に示すように、進路選択支援システムは、複数のユーザ端末１０と、進路選択支援装置２０と、これらを相互に接続するインターネットなどのネットワーク３０とを備えて構成されている。
【００１９】
ユーザ端末１０は、ネットワーク３０に接続可能なネットワーク端末であり、例えば、パーソナルコンピュータ、ＰＤＡ、携帯電話機などが用いられる。ユーザ端末１０の記憶部には、ウェブブラウザソフトが記憶されており、このウェブブラウザソフトを起動し、所定のＵＲＬを入力することにより、進路選択支援装置２０などのウェブサーバにアクセスすることが可能になる。
【００２０】
進路選択支援装置２０は、ネットワーク３０に接続されたウェブサーバであり、進路選択支援プログラム（データベース検索ソフト、ＨＴＭＬファイル、ＣＧＩなどを含む。）が導入された処理部２１と、経歴実例情報を蓄積する経歴実例情報データベース２２と、資格情報を蓄積する資格情報データベース２３と、これらのデータベース２２、２３にリンクされる職業情報データベース２４とを備えて構成されている。
【００２１】
図２は、経歴実例情報データベースの説明図である。
この図に示すように、経歴実例情報データベース２２は、各種職業の既従事者に関する経歴実例情報を多数蓄積している。本実施形態の経歴実例情報データベース２２は、「職種」、「職業」、「職業（詳細）」、「学歴」、「保有資格」などのデータ項目を規定するとともに、一人の既従事者に関する経歴実例情報を１レコードとし、各職業ごとに複数のレコードを保有している。
【００２２】
例えば、「職種」には、医療従事者、公務員、パイロット、製造業などのデータが入力される。
また、「職業」には、医師、警察官、エアラインパイロット、ソフトウェア技術者などのデータが入力される。
また、「職業（詳細）」には、内科医、警視庁特別捜査官コンピュータ犯罪捜査官、定期運送用操縦士、システムエンジニアなどのデータが入力される。
また、「学歴」には、小／中／高／大（医学部）、小／中／高／大（理学部情報科学科）／民（○×電気）、小／中／高／大／航空大学校、小／中／高／大（理工学部）／大学院（修士）などのデータが入力される。
また、「保有資格」には、医師免許、特殊情報処理技術者、定期運送用操縦士、基本情報処理技術者などのデータが入力される。
【００２３】
経歴実例情報データベース２２に蓄積する経歴実例情報は、例えば、下記に挙るような方法で収集される。
１）転職支援サイトに登録されている履歴書情報を利用する。
この場合には、登録者の承諾が必要となる。
２）経歴に関するアンケートを実施する。
アンケートは、オンライン、オフラインのいずれで実施してもよい。
３）調査会社、マーケティングサイトなどに情報収集を依頼する。
この場合には、調査会社が実施する謝礼付きアンケートなどで経歴情報が収集される。
４）インターネット上に点在する経歴情報を検索エンジンで収集する。
この場合には、ノイズ情報を取り除くために、収集した情報をフィルタリングすることが望ましい。
【００２４】
図３は、資格情報データベースの説明図である。
この図に示すように、資格情報データベース２３は、各種の資格に関する情報を多数蓄積している。本実施形態の資格情報データベース２３は、「資格名」、「資格区分」、「取得情報ＵＲＬ」などのデータ項目を規定するとともに、一つの資格に関する情報を１レコードとして保有している。
【００２５】
例えば、「資格名」には、定期運送用操縦士（飛行機）などの情報が入力され、「資格区分」には、国家試験などの情報が入力される。また、「取得情報ＵＲＬ」には、資格取得のための教育機関が開設しているサイトのＵＲＬが入力され、利用者に資格情報を提供する際には、このサイトから詳細な資格情報を取得する。詳細な資格情報としては、例えば、「受験資格」、「試験科目」、「試験日」、「申込み方法」、「受験料」、「合格発表方法」、「問い合わせ先」などがある。
【００２６】
図４は、職業情報データベースの説明図である。
この図に示すように、職業情報データベース２４は、各種の職業に関する情報を多数蓄積している。本実施形態の職業情報データベース２４は、「職種」、「職業」、「職業（詳細）」、「学歴」、「専門学習」、「必須資格」、「有効資格」、「年齢制限の有無」、「収入帯」、「求められる資質」などのデータ項目を規定するとともに、一つの職業に関する情報を１レコードとして保有している。
【００２７】
上記データ項目のうち、「職種」、「職業」、「職業（詳細）」、「専門学習」、「必須資格」、「有効資格」、「年齢制限の有無」、「収入帯」及び「求められる資質」は、その職業に関する一般的な情報にもとづいて、あらかじめ入力されるが、少なくとも「学歴」は、経歴実例情報データベース２２にリンクされており、経歴実例情報データベース２２に蓄積される経歴実例情報にもとづいて、データが自動的に更新される。
【００２８】
つまり、経歴実例情報データベース２２から同一職業の経歴実例情報を抽出するとともに、各経歴実例情報に含まれる学歴データを、所定の条件（例えば同一学歴データ）にもとづいてグループ分けし、更に、各グループの学歴とその割合を職業情報データベース２４のデータ項目「学歴」に書き込んでいる。
なお、「専門学習」、「有効資格」、「収入帯」などのデータも、経歴実例情報データベース２２から抽出するようにしてもよい。
【００２９】
つぎに、進路選択支援システムの動作について、図５〜図８を参照して説明する。
図５は、第一実施形態に係る進路選択支援システムの動作を示すフローチャート、図６は、第一実施形態に係る進路選択支援システムの動作を示す梯子図である。
図６に示すように、進路選択支援装置２０は、まず、経歴実例情報データベース２２、資格情報データベース２３及び職業情報データベース２４に情報の蓄積を行う。経歴実例情報データベース２２の情報が追加又は削除された場合は、それに伴って、職業情報データベース２４の内容も自動的に更新される（図６のＳ２０１）。
【００３０】
進路選択支援システムを利用する利用者は、ユーザ端末１０においてブラウザを起動するとともに、所定のＵＲＬを入力して進路選択支援装置２０にアクセスする（図６のＳ２０２）。
進路選択支援装置２０は、アクセス要求を受信すると（図６のＳ２０３）、ユーザ端末１０に職業選択メニューを送信し（図６のＳ２０４）、これがユーザ端末１０に表示される（図６のＳ２０５）。
【００３１】
利用者は、検索を希望する職業が存在する場合（図５のＳ１０１）、職業選択メニューの中から職業を選択（指定）し、これを進路選択支援装置２０へ送信する（図５のＳ１０２、図６のＳ２０６）。
一方、検索を希望する職業が存在しない場合は（図５のＳ１０１）、進路選択支援装置２０に性格判断による適職検査の実施を依頼し、この適職検査にもとづいて職業を選択する（図５のＳ１０３、図６のＳ２０６）。
なお、適職検査は、本発明に直接関係しないため、詳細な説明は省略する。
【００３２】
進路選択支援装置２０は、ユーザ端末１０から職業指定情報を受信すると（図６のＳ２０７）、その職業に関する情報を職業情報データベース２４で検索するとともに（図６のＳ２０８）、検索結果をユーザ端末１０へ送信する（図６のＳ２０９）。
ユーザ端末１０は、検索結果（経歴実例情報を含む職業情報）を受信するとともに、これを表示する（図５のＳ１０４、図６のＳ２１０、図７参照）。更に、検索結果画面において資格名がクリックされると（図６のＳ２１１）、資格指定情報が進路選択支援装置２０へ送信される（図６のＳ２１２）。
【００３３】
進路選択支援装置２０は、資格指定情報を受信すると（図６のＳ２１３）、その資格に関する情報を資格情報データベース２３で検索するとともに（図６のＳ２１４）、検索結果をユーザ端末１０へ送信する（図６のＳ２１５）。
ユーザ端末１０は、検索結果（資格情報）を受信するとともに、これを表示する（図５のＳ１０５、図６のＳ２１６、図８参照）。
【００３４】
図７は、検索結果（職業情報）の表示画面を示す説明図である。
この図に示すように、職業情報の検索結果には、「職種」、「職業」、「詳細」、「エデュケーションマップ（学歴）」、「必須資格」、「有効資格」、「専門学習」、「資質」、「年齢制限」、「収入帯」などの表示項目が含まれる。これらの表示項目は、職業情報データベース２４の各データ項目に対応しており、「エデュケーションマップ（学歴）」を除き、職業情報データベース２４（１レコード）の各データがそのまま表示される。
【００３５】
「エデュケーションマップ（学歴）」には、職業情報データベース２４の「学歴」データが表形式で表示される。例えば、図７に示す例では、グループ分けされた３種類の学歴パターン（経歴実例情報）が３行に分けて表示されるとともに、各グループの先頭に、そのグループの割合順位及び割合が表示される。
これにより、既従事者の経歴実例情報にもとづいて、実状に則した多様な進路を提示することが可能になる。
なお、「専門学習」の表示データに、その教育機関のＵＲＬを埋め込み、この教育機関のサイトにおいて、専門学習に関する詳細な情報を得るようにしてもよい。
【００３６】
図８は、検索結果（資格情報）の表示画面を示す説明図である。
この図に示すように、資格情報の検索結果には、「資格名」、「資格区分」、「受験資格」、「試験科目」、「試験日」、「申込み方法」、「受験料」、「合格発表方法」、「取得情報ＵＲＬ」、「問い合わせ先」などの表示項目が含まれる。これらの項目に表示されるデータには、資格情報データベース２３から抽出したデータだけでなく、資格取得教育機関のサイトから提供されるデータも含まれる。
また、「取得情報ＵＲＬ」に表示されたＵＲＬをクリックすると、資格取得教育機関のサイトにジャンプし、資格取得教育機関の詳細な情報が得られる。
【００３７】
以上のように構成された第一実施形態によれば、進路選択支援装置２０は、各種職業の既従事者に関する経歴実例情報を複数蓄積し、ユーザ端末１０から受信した職業指定情報に応じて、経歴実例情報を含む職業情報を検索するとともに、その検索結果をユーザ端末１０へ送信するので、利用者に対し、実状に則した多様な進路を提示することが可能になる。
これにより、職業に関する一般的な情報だけを提供していた従来のように、情報が画一的になったり、現状に則していないものになることを回避でき、その結果、進路の選択範囲を広げることができるだけでなく、現状に則した情報をもとに、適正な進路選択を行うことができる。
【００３８】
また、進路選択支援装置２０は、各職業の既従事者に関する経歴実例情報を、その経歴にもとづいてグループ分けするとともに、各グループの経歴及び割合をユーザ端末１０へ送信するため、経歴実例情報を単に一覧表示する場合に比べ、情報の閲覧性が向上するだけでなく、各グループの割合にもとづいて、一般的な進路、例外的な進路などを容易に判断することができる。
【００３９】
また、進路選択支援装置２０は、指定された職業の既従事者に関する経歴実例情報とともに、その職業が求める専門学習、資格などの情報を提示するため、進路の選択支援だけでなく、学習分野の選択、取得する資格の選択なども総合的に支援することができる。
【００４０】
また、進路選択支援装置２０は、資格（又は専門学習）の教育機関に関する情報も提供するため、利用者は、その職業に有効な資格の取得をめざす際、適正な教育機関を容易に選択することができる。また、システム運営者は、教育機関からの広告掲載料、仲介手数料などを見込むことができる。
【００４１】
［第二実施形態］
つぎに、本発明の第二実施形態について、図９を参照して説明する。ただし、第一実施形態と共通する部分は、第一実施形態の説明を援用する。
図９は、第二実施形態に係る進路選択支援システムの動作を示すフローチャートである。
この図に示すように、第二実施形態は、職業情報の検索結果表示（図９のＳ３０４）や資格情報の検索結果表示（図９のＳ３０５）を行った後、既従事者における同一経歴の割合や、その職業への従事に際して不足する学習や資格を示す点が第一実施形態と相違する。
【００４２】
つまり、第二実施形態においては、利用者の現時点の経歴情報（学習状況）を入力すると（図９のＳ３０６）、この経歴情報と、既従事者の経歴実例情報とを比較して、前記経歴情報と同一の経歴を含む経歴実例情報の割合を算出し、この割合を表示する（図９のＳ３０７）。
また、前記経歴情報と、既従事者の経歴実例情報とを比較して、不足する学習や資格を特定し、これを表示する（図９のＳ３０８）。
【００４３】
なお、第二実施形態の表示例は図示を省略するが、上記割合表示は、「この職業において、あなたと同じ経歴をもつ既従事者の割合は４５％です。」などのテキスト表示で十分である。また、不足する学習や資格の表示は、「あなたがこの職業に従事するには、定期運送用操縦士の資格を取得するための専門学習が必要です。」などのテキスト表示でもよいが、図７に示した表示画面において、不足する学習や資格の部分を強調表示（色分け、網がけ、下線など）してもよい。
【００４４】
以上のように構成された第二実施形態によれば、利用者が職業を指定し、現在の経歴を入力すると、既従事者における同一経歴の割合が示されるため、その職業に従事できる可能性を容易に判定することができる。
また、その職業への従事に際し、不足する学習や資格が示されるため、適正な職業選択を行うことができるだけでなく、その職業への従事をめざして効率的な学習を行うことができる。
【００４５】
【発明の効果】
以上のように、本発明によれば、ネットワークを介して、職業に関する情報を提供し、進路の選択を支援するものでありながら、従来のように職業に関する一般的な情報だけでなく、各種の職業に既に従事している人の経歴（経歴実例情報）を提供することにより、実状に則した多様な進路を示し、進路の選択範囲を広げることができる。
【図面の簡単な説明】
【図１】進路選択支援システムの構成を示すブロック図である。
【図２】経歴実例情報データベースの説明図である。
【図３】資格情報データベースの説明図である。
【図４】職業情報データベースの説明図である。
【図５】第一実施形態に係る進路選択支援システムの動作を示すフローチャートである。
【図６】第一実施形態に係る進路選択支援システムの動作を示す梯子図である。
【図７】検索結果（職業情報）の表示画面を示す説明図である。
【図８】検索結果（資格情報）の表示画面を示す説明図である。
【図９】第二実施形態に係る進路選択支援システムの動作を示すフローチャートである。
【符号の説明】
１０  ユーザ端末
２０  進路選択支援装置
２１  処理部
２２  経歴実例情報データベース
２３  資格情報データベース
２４  職業情報データベース
３０  ネットワーク
【図１】
2004246820.tif 000003
【図２】
2004246820.tif 000004
【図３】
2004246820.tif 000005
【図４】
2004246820.tif 000006
【図５】
2004246820.tif 000007
【図６】
2004246820.tif 000008
【図７】
2004246820.tif 000009
【図８】
2004246820.tif 000010
【図９】
2004246820.tif 000011